(57)【要約】【課題】外出の種別に応じて必要な携行品や自機の持ち忘れを防止することが可能な携帯情報端末を提供する。【解決手段】携帯情報端末１０は、複数の携行品に付けた受動タイプのＲＦＩＤタグに対し電波信号を送信するとともに応答電波信号を受信して、ＲＦＩＤタグのＵＩＤを読み取るアンチコリジョン機能付きのＲＦＩＤタグリーダ部１９、記憶メモリ１２、及び制御部１１を備える。記憶メモリ１２には、複数のＲＦＩＤタグのＵＩＤと特定のグループ番号及び特定の識別子番号を含む識別情報とが関連付けて記憶される。制御部１１は、ＲＦＩＤタグリーダ部１９で読み取る必要があるＵＩＤの含有条件として識別情報の含有条件を指定しておき、実際に読み取ったＵＩＤに対応する識別情報を記憶メモリ１２から読み出して認識し、その含有条件に該当するか否かを認識結果から判定し、該当しない場合には、持ち忘れの警告をスピーカ１５や表示部１４で発する。【選択図】図１
2007316928.tif 000002
【特許請求の範囲】
【請求項１】
複数の携行品にそれぞれ取り付けた受動タイプのＲＦＩＤタグに対し、電波信号を送信するとともに、該ＲＦＩＤタグからの応答電波信号を受信して、前記ＲＦＩＤタグのＵＩＤを読み取るアンチコリジョン機能付きのＲＦＩＤタグリーダ部と、複数のＲＦＩＤタグのＵＩＤを記憶するＵＩＤ記憶部と、該ＵＩＤ記憶部で記憶された複数のＵＩＤのそれぞれに対し、特定のグループ番号及び特定の識別子番号を含む識別情報を関連付けて記憶する識別情報記憶部と、前記ＲＦＩＤタグリーダ部で読み取る必要があるＵＩＤの含有条件として、前記識別情報の含有条件を指定する条件指定部と、前記ＲＦＩＤタグリーダ部で読み取ったＵＩＤに対応する識別情報を前記識別情報記憶部から読み出して、前記ＲＦＩＤタグリーダ部で受信できたＲＦＩＤタグのグループ番号及び識別子番号を認識するＵＩＤ認識部と、前記条件指定部で指定された識別情報の含有条件に該当するか否かを、前記ＵＩＤ認識部での認識結果から判定する判定部と、該判定部での判定の結果、該当しない場合には、持ち忘れの警告を発する警告部とを備えることを特徴とする携帯情報端末。
【請求項２】
前記判定部での判定の結果、該当する場合には、持ち忘れ無しとして確認済みの通知を発する通知部を備えることを特徴とする請求項１に記載の携帯情報端末。
【請求項３】
前記識別情報の含有条件は、携行品の有無により当該携帯情報端末の持ち忘れも前記警告部で警告することが可能な条件を含むことを特徴とする請求項１又は２に記載の携帯情報端末。
【請求項４】
前記条件指定部は、指定可能な含有条件を予め複数記憶しておき、前記複数の含有条件の中から、現在の状況に合致した含有条件をユーザに指定させることを特徴とする請求項１又は２に記載の携帯情報端末。
【請求項５】
当該携帯情報端末は、外出の種類に応じた場所に設置された複数の外部通信ユニットがマスタとなり、自身がスレーブとなった無線通信が可能な無線通信部を備え、前記条件指定部は、指定可能な含有条件を予め複数記憶しておき、前記複数の含有条件の中から、前記複数の外部通信ユニットのうち前記無線通信部で接続が確立した外部通信ユニットに合う含有条件を指定することを特徴とする請求項１乃至３のいずれか１項に記載の携帯情報端末。
【請求項６】
当該携帯情報端末は、外出の種類に応じた場所に設置された複数の外部通信ユニットがマスタとなり、自身がスレーブとなった無線通信が可能な無線通信部を備え、前記条件指定部は、指定可能な含有条件を予め複数記憶しておき、前記複数の含有条件の中から、前記複数の外部通信ユニットのうち前記無線通信部で接続が確立した外部通信ユニットに合う含有条件を指定し、前記無線通信部は、前記判定部での判定の結果、該当しない場合には、持ち忘れの警告を発する警告要求を前記外部通信ユニットに対して送信することを特徴とする請求項１乃至３のいずれか１項に記載の携帯情報端末。
【請求項７】
外出の種類に応じて設置される通信ユニットであって、設置場所の動産又は不動産に対するユーザの所定操作を検出する操作検出部と、自身がマスタとなり携帯情報端末がスレーブとなった無線通信が可能な無線通信部とを備え、該無線通信部は、前記操作検出部で前記所定操作を検出した際に、前記携帯情報端末に対して接続要求を行い、前記接続要求により、前記携帯情報端末との接続が確立した際に、当該通信ユニットの固有情報を前記携帯情報端末に送信することを特徴とする通信ユニット。
【請求項８】
前記無線通信部で前記固有情報の送信を実行した後に、前記携帯情報端末から警告要求を受信した際に、警告を発する警告部を備えることを特徴とする請求項７に記載の通信ユニット。
【請求項９】
請求項５に記載の携帯情報端末及び請求項７に記載の通信ユニット、或いは請求項６に記載の携帯情報端末及び請求項８に記載の通信ユニットを備えることを特徴とする携行品確認システム。
【発明の詳細な説明】
【技術分野】
【０００１】
本発明は、携帯情報端末、通信ユニット、及び携行品確認システムに関し、より詳細には、アンチコリジョン機能をもったＲＦＩＤタグリーダとＢｌｕｅｔｏｏｔｈ（登録商標）等の無線通信部を備えた携帯情報端末、その携帯情報端末と無線通信する通信ユニット、及び、それら携帯情報端末及び通信ユニットを備えた携行品確認システムに関する。
【背景技術】
【０００２】
近年、Ｂｌｕｅｔｏｏｔｈ（登録商標）機能に対応した携帯情報端末が商品化されている。Ｂｌｕｅｔｏｏｔｈ（登録商標）は、２.４ＧＨｚ帯の電波を用いる近距離無線通信で、数ｍ〜最大数十ｍ程度の範囲で最大１ＭＢ／秒（次期バージョンでは２倍の予定）の通信ができる技術である。
【０００３】
Ｂｌｕｅｔｏｏｔｈがオフィスでの利用を想定しているのに対し、家庭での利用を想定した近距離無線通信技術として、ＨｏｍｅＲＦ（Home Radio Frequency）がある。ＨｏｍｅＲＦは、同じく２.４ＧＨｚ帯の電波を用い、５０〜１００ｍ程度の範囲で１.２ＭＢ／秒以上の通信ができる規格である。また、近距離無線通信技術としては、ＩＥＥＥ（Institute of Electrical and Electronics Engineers）８０２.１１シリーズや、ＩＥＥＥ１３９４規格をワイヤレス拡張したワイヤレス１３９４などの無線ＬＡＮ規格もある。
【０００４】
このうち、Ｂｌｕｅｔｏｏｔｈは、現在、ワイヤレスヘッドセットとイヤホンマイクを組み合わせた通話ハンズフリー用途、ＰＣ（パーソナルコンピュータ）やＰＤＡ（Personal Digital Assistants）、ゲーム機、デジタルカメラなどの相互間のデータ転送・通信などの用途で使用され、ポケットやカバンの中にある機器とでも通信できるメリットがある。また、ＩＥＥＥ８０２.１１シリーズは、家庭内やオフィスでのＰＣやデジタル家電などの間の接続に多用されており、ワイヤレス１３９４は電送速度が格段に速いものであり、実用化に向けた取り組みがなされている。
【０００５】
ところで、ＲＦＩＤ（Radio Frequency IDentification System）は、媒体に電波・電磁波を用いたＩＤシステムであり、物流管理や個人認証の用途で使用され、ＲＦＩＤタグリーダ（ＲＦＩＤタグの読み取り機）とＲＦＩＤタグ（ＩＤを格納する媒体）から構成される。
【０００６】
ＲＦＩＤタグは、ＲＦタグなどとも呼ばれ、Ｐａｓｓｉｖｅタイプ（受動タイプ）とＡｃｔｉｖｅタイプ（能動タイプ）に分類される。受動タイプでは、ＲＦＩＤタグに電池を内蔵せず、ＲＦＩＤタグリーダは電磁誘導などを用いてＲＦＩＤタグに給電し、数ｃｍ〜最大１ｍ程度の範囲のＩＤを読み取るもので、ＲＦＩＤタグの小型化・薄型化が容易である。後者は、ＲＦＩＤタグに電池を内蔵し、微弱無線などで一定時間ごとにＩＤを発信するもので、数ｍ〜最大数十ｍ程度の範囲のＩＤを読み取るもので、ＲＦＩＤタグの小型化に限界がある。
【０００７】
また、ＲＦＩＤタグリーダは、複数のＲＦＩＤタグを同時に認識するアンチコリジョン機能搭載のものと、一度に読み取れるＲＦＩＤタグが一つに限定される単独認識のものに大別される。
【０００８】
このようなＲＦＩＤを利用した技術として、特許文献１には、携行品チェックシステムが開示されている。このシステムでは、携帯電話、手帳、財布などの携行品に受動タイプのＲＦＩＤタグを取り付け、登録モードにおいて、ＲＦＩＤタグリーダにより携行品に装着した複数の固有ＩＤを登録しておく。そして、このシステムは、通常使用モードにおいて、起動ボタンや後述する自動起動装置から動作を開始した際、ＲＦＩＤタグリーダにより認識できなかった固有ＩＤを、登録番号の形式で表示し警報を行うことで、忘れ物を防止することを可能としている。ここで使用される自動起動装置は、鍵や玄関ドアなどに装着し、内蔵した電池によって間欠的に起動電波を送信するものであり、携行品チェックシステムとの距離が一定以下まで接近して、通信可能な状態になることで起動が開始されるようになっている。
【特許文献１】特開２００５−８５１８６号公報
【発明の開示】
【発明が解決しようとする課題】
【０００９】
しかしながら、特許文献１に記載のシステムでは、常に、前もって登録した複数の固有ＩＤの中から検出できなかった固有ＩＤを忘れ物として判定するので、例えば車を運転する以外の外出の際であっても、事前に登録された運転免許証やＥＴＣカードなどの携行品のＩＤタグが認証されなければ、それを所持忘れとして警告することになり、使い勝手が悪い。このように、特許文献１に記載のシステムは、必ずしも外出目的（外出の種別）に則した携行品チェックシステムとは言えるものではない。
【００１０】
本発明は、上述のごとき実情に鑑みてなされたものであり、外出の種別に応じて必要な携行品や自機の持ち忘れを防止することが可能な携帯情報端末、その携帯情報端末と無線通信する通信ユニット、及び、それら携帯情報端末及び通信ユニットを備えた携行品確認システム、を提供することをその目的とする。
【課題を解決するための手段】
【００１１】
上記目的を達成するために、本発明の第１の技術手段は、携帯情報端末において、複数の携行品にそれぞれ取り付けた受動タイプのＲＦＩＤタグに対し、電波信号を送信するとともに、該ＲＦＩＤタグからの応答電波信号を受信して、前記ＲＦＩＤタグのＵＩＤを読み取るアンチコリジョン機能付きのＲＦＩＤタグリーダ部と、複数のＲＦＩＤタグのＵＩＤを記憶するＵＩＤ記憶部と、該ＵＩＤ記憶部で記憶された複数のＵＩＤのそれぞれに対し、特定のグループ番号及び特定の識別子番号を含む識別情報を関連付けて記憶する識別情報記憶部と、前記ＲＦＩＤタグリーダ部で読み取る必要があるＵＩＤの含有条件として、前記識別情報の含有条件を指定する条件指定部と、前記ＲＦＩＤタグリーダ部で読み取ったＵＩＤに対応する識別情報を前記識別情報記憶部から読み出して、前記ＲＦＩＤタグリーダ部で受信できたＲＦＩＤタグのグループ番号及び識別子番号を認識するＵＩＤ認識部と、前記条件指定部で指定された識別情報の含有条件に該当するか否かを、前記ＵＩＤ認識部での認識結果から判定する判定部と、該判定部での判定の結果、該当しない場合には、持ち忘れの警告を発する警告部とを備えることを特徴としたものである。
【００１２】
第２の技術手段は、第１の技術手段において、前記判定部での判定の結果、該当する場合には、持ち忘れ無しとして確認済みの通知を発する通知部を備えることを特徴としたものである。
【００１３】
第３の技術手段は、第１又は第２の技術手段において、前記識別情報の含有条件は、携行品の有無により当該携帯情報端末の持ち忘れも前記警告部で警告することが可能な条件を含むことを特徴としたものである。
【００１４】
第４の技術手段は、第１又は第２の技術手段において、前記条件指定部は、指定可能な含有条件を予め複数記憶しておき、前記複数の含有条件の中から、現在の状況に合致した含有条件をユーザに指定させることを特徴としたものである。
【００１５】
第５の技術手段は、第１乃至第３のいずれかの技術手段において、当該携帯情報端末は、外出の種類に応じた場所に設置された複数の外部通信ユニットがマスタとなり、自身がスレーブとなった無線通信が可能な無線通信部を備え、前記条件指定部は、指定可能な含有条件を予め複数記憶しておき、前記複数の含有条件の中から、前記複数の外部通信ユニットのうち前記無線通信部で接続が確立した外部通信ユニットに合う含有条件を指定することを特徴としたものである。
【００１６】
第６の技術手段は、第１乃至第３のいずれかの技術手段において、当該携帯情報端末は、外出の種類に応じた場所に設置された複数の外部通信ユニットがマスタとなり、自身がスレーブとなった無線通信が可能な無線通信部を備え、前記条件指定部は、指定可能な含有条件を予め複数記憶しておき、前記複数の含有条件の中から、前記複数の外部通信ユニットのうち前記無線通信部で接続が確立した外部通信ユニットに合う含有条件を指定し、前記無線通信部は、前記判定部での判定の結果、該当しない場合には、持ち忘れの警告を発する警告要求を前記外部通信ユニットに対して送信することを特徴としたものである。
【００１７】
第７の技術手段は、外出の種類に応じて設置される通信ユニットであって、設置場所の動産又は不動産に対するユーザの所定操作を検出する操作検出部と、自身がマスタとなり携帯情報端末がスレーブとなった無線通信が可能な無線通信部とを備え、該無線通信部は、前記操作検出部で前記所定操作を検出した際に、前記携帯情報端末に対して接続要求を行い、前記接続要求により、前記携帯情報端末との接続が確立した際に、当該通信ユニットの固有情報を前記携帯情報端末に送信することを特徴としたものである。
【００１８】
第８の技術手段は、第７の技術手段において、前記無線通信部で前記固有情報の送信を実行した後に、前記携帯情報端末から警告要求を受信した際に、警告を発する警告部を備えることを特徴としたものである。
【００１９】
第９の技術手段は、第５の技術手段における携帯情報端末及び第７の技術手段における通信ユニット、或いは第６の技術手段における携帯情報端末及び第８の技術手段における通信ユニットを備える携行品確認システムである。
【発明の効果】
【００２０】
本発明によれば、外出の種別に応じて必要な携行品や携帯情報端末の持ち忘れを防止することが可能となる。
【発明を実施するための最良の形態】
【００２１】
図１は、本発明の一実施形態に係る携帯情報端末の構成例を示すブロック図で、図中、１０は、ＰＤＡ、携帯電話機、ＰＨＳ（Personal Handy-phone System）等の携帯情報端末である。また、図２は、本発明に係る携行品確認システムに図１の携帯情報端末とともに具備される通信ユニットの構成例を示すブロック図で、図中、２０は通信ユニットである。
【００２２】
携帯情報端末１０は、本装置全体を制御するＣＰＵ（Central Processing Unit）、登録モードと運用モードを有する制御プログラムや固定データ等を記憶するＲＯＭ（Read Only Memory）、ＣＰＵの作業用記憶領域であるＲＡＭ（Random Access Memory）等の半導体メモリなどからなる制御部１１を備える。ここで、登録モードとは、本発明に係る携行品確認処理の対象となる携行品や処理方法などを登録するモードを指し、運用モードとは、その携行品確認処理を実行するモードを指す。
【００２３】
携帯情報端末１０は、制御部１１に加え、ＲＦＩＤタグのＵＩＤ（Unique Identifier）とグループ番号や識別子番号等を記憶するための、強誘電性ＲＡＭ等の不揮発性半導体メモリやハードディスク装置などでなる記憶メモリ１２と、グループ番号や識別子番号、動作モード（登録モード／運用モード）を入力するキー入力部１３と、ＲＦＩＤタグのＵＩＤとグループ番号や識別子番号を表示する表示部１４と、持ち忘れの警告音を発するスピーカ１５と、Ｂｌｕｅｔｏｏｔｈ（登録商標）用アンテナ１６と、Ｂｌｕｅｔｏｏｔｈ（登録商標）通信部１７と、ＲＦＩＤ用アンテナ１８と、受動タイプのＲＦＩＤタグリーダ部１９とから構成される。
【００２４】
なお、携帯情報端末１０にＢｌｕｅｔｏｏｔｈ（登録商標）用のアンテナ１６及び無線通信部１７を備えるものとして説明するが、他の方式のアンテナ及び無線通信部であっても適用できる。また、制御部１１は、表示部１４やＢｌｕｅｔｏｏｔｈ（登録商標）通信部１７等の各部を制御する副制御部と、それら副制御部を制御する主制御部とで構成されることもある。また、図１では、携帯情報端末１０のうち本発明に係わる部分のみを示している。上述の構成要素以外の構成要素としては、例えば、携帯情報端末１０が携帯電話機である場合には、通常、通話を行うためのアンテナ、ＲＦ無線部、マイクロフォンなど、さらに画像撮影を行うための撮像部などが、制御部１１で制御可能に実装されている。
【００２５】
キー入力部１３は、電源のオン／オフをはじめ、警告音や警告表示を消すといった他のユーザ操作も受け付ける。Ｂｌｕｅｔｏｏｔｈ（登録商標）通信部１７は、外出の種類に応じた場所に設置された複数の外部の通信ユニット２０がマスタ（マスタ通信機器）となり、自身がスレーブ（スレーブ通信機器）となった無線通信を可能とするものである。通信ユニット２０及びその設置場所の例については後述する。
【００２６】
ＲＦＩＤタグリーダ部１９は、複数の携行品にそれぞれ取り付けた受動タイプのＲＦＩＤタグに対し、電波信号を送信するとともに、それらＲＦＩＤタグからの応答電波信号を受信して、ＲＦＩＤタグのＵＩＤを読み取る。以下、ＲＦＩＤタグを単に「タグ」という。タグリーダ部１９は、複数のタグに対応可能なようアンチコリジョン機能付きとする。アンチコリジョン機能は、バイナリツリー方式やアロハ方式などの代表的なアルゴリズムが知られている。
【００２７】
また、携帯情報端末１０は、本発明の主たる特徴として、記憶メモリ１２で例示したようにＵＩＤ記憶部及び識別情報記憶部を有する。ＵＩＤ記憶部は、複数のタグのＵＩＤを記憶する。識別情報記憶部は、ＵＩＤ記憶部で記憶された複数のＵＩＤのそれぞれに対し、特定のグループ番号及び特定の識別子番号を含む識別情報を関連付けて記憶する。記憶メモリ１２は、ＵＩＤ及び識別情報が関連付けて予め登録でき、それらが制御部１１から読み出し可能になっていればよい。
【００２８】
そして、制御部１１には、本発明の主たる特徴として、ＵＩＤ認識部及び判定部が組み込まれ、且つ携帯情報端末１０には制御部１１で制御可能な警告部を備える。ＵＩＤ認識部は、タグリーダ部１９で読み取ったＵＩＤに対応する識別情報を識別情報記憶部から読み出して、タグリーダ部１９で受信できたタグのグループ番号及び識別子番号を認識する。ＵＩＤ認識部は、記憶メモリ１２に登録後、携行品確認処理を実行する際に、受信したＵＩＤを特定のグループ番号に分類し、特定の識別子番号でこれを区別することを可能とするものである。判定部は、ＵＩＤ認識部での認識結果から持ち忘れを判定し、警告部は、判定部での判定結果に基づき持ち忘れの警告を発する。
【００２９】
ＵＩＤ認識部／判定部は、このような認識処理／判定処理をＣＰＵに実行させるためのプログラムや固定データ等をＲＯＭに記憶しておき、そこからＣＰＵが実行領域としてのＲＡＭ上に読み出して実行するよう構成することで、実装できる。また、警告部としては、スピーカ１５及び／又は表示部１４を備えておき、さらに、警告音をスピーカ１５で発するよう制御する処理や表示部１４で警告表示を実行させるよう制御する処理を、ＣＰＵに実行させるためのプログラムや固定データ等をＲＯＭに記憶しておき、そこからＣＰＵが実行領域としてのＲＡＭ上に読み出して実行するように構成しておくとよい。
【００３０】
また、制御部１１には、条件指定部がＵＩＤ認識部と同様に実行可能に組み込まれる。この条件指定部は、タグリーダ部１９で読み取る必要があるＵＩＤの含有条件として、識別情報の含有条件を指定する。ここで指定される含有条件は、記憶メモリ１２に記憶しておけばよく、特定のグループ番号及びそのグループ番号に含まれる特定の識別子番号の１又は複数を含むといった条件などが該当し、例えば複数のグループ番号に対して指定された条件や排他的に指定された条件であってもよい。また、タグリーダ部１９で読み取る必要があるＵＩＤの含有条件として、この条件指定部では識別情報の含有条件を指定するが、制御部１１の他の部において直接ＵＩＤ、ＵＩＤ及び識別子番号及びグループ番号を含有条件として指定し、この条件を満たさない限り条件指定部を機能させないようにしてもよい。
【００３１】
判定部は、条件指定部で指定された識別情報の含有条件を記憶メモリ１２から読み出し、その含有条件に該当するか否かを、ＵＩＤ認識部での認識結果から判定する。警告部は、判定部での判定の結果、該当しない場合には、持ち忘れの警告を発する。
【００３２】
また、条件指定部は、指定可能な含有条件を記憶メモリ１２に予め複数記憶しておき、複数の含有条件の中から、複数の通信ユニット２０のうちＢｌｕｅｔｏｏｔｈ（登録商標）通信部１７で接続が確立した通信ユニット２０に合う含有条件を指定（選択）することが好ましい。なお、含有条件は、単純に通信ユニット２０、グループ番号（及び識別子番号）を関連付けて登録することにより設定しておいてもよい。例えば、全ての通信ユニット２０に対し、或る通信ユニット２０との通信が確立した場合には、或るグループ内のＵＩＤの中から或る識別子番号をもつＵＩＤが、含有条件として指定されるように、通信ユニット２０、グループ番号、及び識別子番号を関連付けて登録しておく。そして、実際に接続された通信ユニット２０に関連付けられたグループ番号及び識別子番号を含有条件として指定すればよい。
【００３３】
また、この形態にあっては、Ｂｌｕｅｔｏｏｔｈ（登録商標）通信部１７は、判定部での判定の結果、該当しない場合には、持ち忘れの警告を発する警告要求を、その通信ユニット２０に対して送信することが好ましい。これにより、通信ユニット２０に具備した警告部からも警告を発することができるようになる。
【００３４】
また、警告だけでなく持ち忘れがないこともユーザに示すことが好ましく、このため、携帯情報端末１０には、制御部１１で制御可能な通知部を備えることが好ましい。この通知部は、上述の判定部での判定の結果、該当する場合には、持ち忘れ無しとして確認済み（認証）の通知を発する。この通知部も、警告部と同様に、スピーカ１５から通知音（警告音とは異なる音）を発するだけでなく、表示部１４でも持ち忘れ無しの旨の表示を併せて実行させるようにしてもよい。
【００３５】
次に、通信ユニット２０について説明する。通信ユニット２０は、外出の種類に応じて例えば家屋や車などに設置されるユニットであって、本装置全体を制御するＣＰＵ、制御プログラムや固定データ等を記憶するＲＯＭ、ＣＰＵの作業用記憶領域であるＲＡＭ等の半導体メモリなどからなる制御部２１を備える。
【００３６】
通信ユニット２０は、制御部２１に加え、Ｂｌｕｅｔｏｏｔｈ（登録商標）のデバイスアドレス（４８ｂｉｔのＢｌｕｅｔｏｏｔｈ（登録商標）  Ｄｅｖｉｃｅ  Ａｄｄｒｅｓｓ）を記憶するための、強誘電性ＲＡＭ等の不揮発性半導体メモリやハードディスク装置などでなる記憶メモリ２２と、電源のオン／オフ、警告音や警告表示を消すといった各種ユーザ操作を受け付ける入力部２３と、持ち忘れの警告をする表示部２４と、持ち忘れの警告音を発するスピーカ２５と、Ｂｌｕｅｔｏｏｔｈ（登録商標）用アンテナ２６と、Ｂｌｕｅｔｏｏｔｈ（登録商標）通信部２７と、玄関ドアの開閉や通り抜け／鍵の施錠操作、車のドア開閉やイグニッション操作などのユーザの所定操作を検出し、検出したセンサ情報を出力する操作検出部２８とから構成される。
【００３７】
なお、通信ユニット２０には、携帯情報端末１０との無線通信を可能とするために、Ｂｌｕｅｔｏｏｔｈ（登録商標）用のアンテナ２６及び無線通信部２７を組み込んだユニットとして説明しているが、携帯情報端末１０の無線通信方式に合わせたアンテナ及び無線通信部であればよい。また、制御部２１は、表示部２４やＢｌｕｅｔｏｏｔｈ（登録商標）通信部２７等の各部を制御する副制御部と、それら副制御部を制御する主制御部とで構成されることもある。
【００３８】
操作検出部２８は、設置場所の動産又は不動産に対するユーザの所定操作、例えば玄関ドアの開閉や通り抜け／鍵の施錠操作、車のドア開閉やイグニッション操作などを検出する部位で、検出対象の操作に応じたセンサ等でなる。
【００３９】
Ｂｌｕｅｔｏｏｔｈ（登録商標）通信部２７は、自身がマスタ（マスタ通信機器）となり、携帯情報端末１０がスレーブ（スレーブ通信機器）となった無線通信を可能とするものである。Ｂｌｕｅｔｏｏｔｈ（登録商標）通信部２７は、操作検出部２８で上述の所定操作を検出した際に、携帯情報端末１０に対して接続要求を行い、その接続要求により、携帯情報端末１０との接続が確立した際に、通信ユニット２０の固有情報をその携帯情報端末１０に送信する。
【００４０】
このように、Ｂｌｕｅｔｏｏｔｈ（登録商標）通信部２７は、Ｂｌｕｅｔｏｏｔｈ（登録商標）通信部１７に対する接続要求機能をもつ。実際には、この接続要求機能によって相互の通信が確立され、上述の固有情報の例として、Ｂｌｕｅｔｏｏｔｈ（登録商標）パケットに規定されたＢｌｕｅｔｏｏｔｈ（登録商標）デバイスアドレス（マスタ通信機器）が携帯情報端末１０に送信される。
【００４１】
そして、携帯情報端末１０側では、Ｂｌｕｅｔｏｏｔｈ（登録商標）通信部１７において、このデバイスアドレスを認識（アドレス検出）することで通信対象となっている通信ユニット２０を識別する。条件指定部は、記憶メモリ１２を参照して、このデバイスアドレスに対応した携行品グループのグループ番号を認識するとともに、そのグループ番号に関連付けられた識別情報の含有条件を読み出し、その含有条件の対象となった特定の識別子番号を選択する。
【００４２】
判定部は、タグリーダ部１９によって読み取った複数タグのＵＩＤの一部（読み取ったうちの抽出したＵＩＤ）が、選択した特定の識別子番号の条件（警告条件）に該当するか否かを判定する。警告条件に該当した場合には、警告部がスピーカ１５等で持ち忘れの警告を行うとともに、Ｂｌｕｅｔｏｏｔｈ（登録商標）通信部１７が通信ユニット２０に対して警告要求を発し、通信ユニット２０がその要求を受けスピーカ２５等で持ち忘れの警告を行う。また、判定部が持ち忘れ無しの確認通知条件に対する判定も行って、その確認通知条件に該当した場合、すなわち判定部が持ち忘れの警告条件を判定して持ち忘れに該当しなかった場合には、通知部がスピーカ１５で認証音を発するなどして確認通知を行うこととなる。それとともに、Ｂｌｕｅｔｏｏｔｈ（登録商標）通信部１７が通信ユニット２０に対して確認通知要求を発し、通信ユニット２０がその要求を受けスピーカ２５等で確認通知を行うようにしてもよい。
【００４３】
また、携帯情報端末１０が警告要求（／確認通知要求）を発する形態にあっては、その要求に答えるために、通信ユニット２０に警告部（／通知部）を備えるとよい。この警告部（／通知部）は、Ｂｌｕｅｔｏｏｔｈ（登録商標）通信部２７で固有情報の送信を実行した後に携帯情報端末１０から警告要求（／確認通知要求）を受信した際に、スピーカ２５及び／又は表示部２４で警告音（／認証音）の発音やその旨の表示を行わせるなどにより、警告（／認証）を発する。
【００４４】
上述のごとき構成の携帯情報端末１０及び通信ユニット２０を備えた携行品確認システムについて、実際の携行品に対して構成した例を挙げ説明する。なお、ここで挙げる例は上述した様々な形態の一部にすぎず、例示していない形態においても同様に適用できる。
【００４５】
図３及び図４は、図１の携帯情報端末、図２の通信ユニット、及び確認対象となる携行品に取り付けられたタグでなる携行品確認システムの一例を示す図で、通信ユニット、携帯情報端末、及びタグの関係とともに、各タグに割り振られたグループ番号及び識別子番号とその要素を示す図である。また、図５は、図３及び図４のシステム構成を採用して携行品確認処理を実行するために事前に行う登録処理の一例を説明するためのフロー図で、図６は、図３及び図４のシステム構成における携行品確認処理の一例を説明するためのフロー図で、図７は、図３のシステム構成における図６の携行品確認処理の一部の報知処理を説明するためのフロー図で、図８は、図４のシステム構成における図６の携行品確認処理の一部の報知処理を説明するためのフロー図である。
【００４６】
図３は通信ユニットを玄関出入り口へ装着することを想定したシステムの構成例を示し、図４は通信ユニットを車に搭載することを想定したシステムの構成例を示している。図３で例示するシステム構成３０では、車以外での外出を想定し、外出時に必要となる個々の携行品にそれぞれ受動タイプのタグ３１〜３５，５１，５２が取り付けられる。図４で例示するシステム構成４０では、車での外出を想定し、外出時に必要となる個々の携行品にそれぞれ受動タイプのタグ３１，３５，４１，４２，５１，５２が取り付けられる。
【００４７】
各タグ３１〜３５，４１，４２，５１，５２は、数ミリ角の無線通信チップとアンテナを内蔵したもので、小さなカプセルや薄いカード形状の中に収納され、固有ＩＤ（６４ｂｉｔのＵＩＤ）を有している。
【００４８】
図５を参照して登録処理を説明すると、携帯情報端末１０の操作メニューから“ＩＤ登録”を指定する（ステップＳ１でＹＥＳ）と、制御部１１は受動タイプのタグリーダ部１９を起動する（ステップＳ２）。タグリーダ部１９は、ＲＦＩＤ用アンテナ１８から電波を送信し（ステップＳ３）、後述するタグ３１〜３５，４１，４２，５１，５２が電磁誘導によって給電され、ＵＩＤを送信するので、これを受信して読み取る（ステップＳ４）。この操作は、携帯情報端末１０とタグ３１〜３５，４１，４２，５１，５２の距離が、概ね数十センチメートルの範囲内で行う。
【００４９】
次に、ユーザが表示部１４での登録操作画面に基づきキー入力部１３でグループ番号と識別子番号及び名称を入力する（ステップＳ５）。このとき、制御部１１は、ステップＳ４で読み取ったタグ３１〜３５，４１，４２，５１，５２のＵＩＤに対し、キー入力部１３によってそれぞれ入力されたグループ番号と識別子番号及び名称を表示部１４で表示させながら、これを記憶メモリ１２へ登録する（ステップＳ６）。
【００５０】
図３のシステム構成３０では、充電器用のタグ３１（識別子番号１）、カバン用のタグ３２（識別子番号２）、背広のポケット用のタグ３３（識別子番号２）、定期３４用のタグ（識別子番号３）、及び財布用のタグ３５（識別子番号３）のＵＩＤと識別子番号をグループ番号１に関連付けているので、記憶メモリ１２には、以下に例示するデータのように、《グループ番号》《識別子番号》《ＵＩＤ》《名称》の順番で以下、０ｘ＊＊形式のＵＩＤが登録される。なお、ＩＳＯ１５６９３準拠のＵＩＤにおいて、ＡＡは“Ｅ０”、ＢＢはＩＣ  Ｍｆｇ.ｃｏｄｅ、ＣＣはＴＡＧ  ＴＹＰＥ、数字が４０ｂｉｔのＳｅｒｉａｌ  Ｎｏとなる。
【００５１】
《１》《１》《ＡＡ：ＢＢ：ＣＣ：００：００：００：１１：００》《充電器》
《１》《２》《ＡＡ：ＢＢ：ＣＣ：００：００：００：２２：００》《カバン》
《１》《２》《ＡＡ：ＢＢ：ＣＣ：００：００：００：３３：００》《背広のポケット》
《１》《３》《ＡＡ：ＢＢ：ＣＣ：００：００：００：４４：００》《定期》
《１》《３》《ＡＡ：ＢＢ：ＣＣ：００：００：００：５５：００》《財布》
【００５２】
また、図４のシステム構成４０では、充電器用のタグ３１（識別子番号１）、免許証用のタグ４１（識別子番号２）、財布用のタグ３５（識別子番号３）、及びＥＴＣカード用のタグ４２（識別子番号３）のＵＩＤと識別子番号をグループ番号２に関連付けているので、記憶メモリ１２には《グループ番号》《識別子番号》《ＵＩＤ》《名称》の順番で以下のデータが登録される。
【００５３】
《２》《１》《ＡＡ：ＢＢ：ＣＣ：００：００：００：１１：００》《充電器》
《２》《２》《ＡＡ：ＢＢ：ＣＣ：００：００：１１：００：００》《免許証》
《２》《３》《ＡＡ：ＢＢ：ＣＣ：００：００：００：５５：００》《財布》
《２》《３》《ＡＡ：ＢＢ：ＣＣ：００：００：２２：００：００》《ＥＴＣカード》
【００５４】
また、システム構成３０及びシステム構成４０では、玄関ドアの鍵用のタグ５１（識別子番号１）及び車の鍵用のタグ５２（識別子番号１）のＵＩＤと識別子番号を、グループ番号１とグループ番号２の共有、グループ番号０に関連付けているので、記憶メモリ１２には《グループ番号》《識別子番号》《ＵＩＤ》《名称》の順番で以下のデータが登録される。
【００５５】
《０》《１》《ＡＡ：ＢＢ：ＣＣ：００：００：００：００：１１》《玄関ドアの鍵》
《０》《１》《ＡＡ：ＢＢ：ＣＣ：００：００：００：００：２２》《車の鍵》
【００５６】
さらに、携帯情報端末１０の操作メニューから“デバイスアドレス登録”を指定する（ステップＳ１でＮＯ且つステップＳ１１でＹＥＳの場合）と、制御部１１はマスタ通信機器となるＢｌｕｅｔｏｏｔｈ（登録商標）通信部１７を起動し（ステップＳ１２）、Ｂｌｕｅｔｏｏｔｈ（登録商標）通信部１７を制御して、接続相手（スレーブ通信機器）への“問い合わせ”を実行させる（ステップＳ１３）。なお、接続相手のデバイスアドレスがわかっている場合は“呼び出し”を実行させ、デバイスアドレスの確認だけを行えばよい。
【００５７】
このときにはスレーブ通信機器である通信ユニット２０からの応答によって、Ｂｌｕｅｔｏｏｔｈ（登録商標）間の接続が確立される（ステップＳ１４でＹＥＳ）と、互いのパケットが交換され、通信ユニット２０のデバイスアドレスを携帯情報端末１０が取得する（ステップＳ１５）。この操作は、携帯情報端末１０と通信ユニット２０の距離が、概ね数メートルの範囲内で行う。
【００５８】
次に、ユーザが表示部１４でのデバイスアドレス登録操作画面に基づき、キー入力部１３でグループ番号と名称を入力する（ステップＳ１６）。このとき、制御部１１は、取得したデバイスアドレスに対し、キー入力部１３によって入力されたグループ番号と名称を表示部１４で表示させながら、これを記憶メモリ１２へ登録する（ステップＳ１７）。なお、ステップＳ１１でＮＯの場合には、登録に関係のない他の処理であり登録処理を終了し、またステップＳ１４でＮＯの場合には確立しないためエラー表示などした後に登録処理を終了する。
【００５９】
図３のシステム構成３０では、玄関出入り口の通信ユニット２０のデバイスアドレスをグループ番号１に関連付け、図４のシステム構成４０では、車に搭載した通信ユニット２０のデバイスアドレスをグループ番号２に関連付けている。従って、記憶メモリ１２には《グループ番号》《デバイスアドレス》《名称》の順番で以下、０ｘ＊＊形式のデバイスアドレスが登録される。ここで登録されるグループ番号は、通信ユニット２０からの要求を選択するための識別情報となる。なお、ＩＥＥＥ８０２準拠のデバイスアドレスにおいて、ＸＸはＵＡＰ、ＹＹはＮＡＰ、数字が２４ｂｉｔのＬＡＰとなる。
【００６０】
《１》《ＸＸ：ＹＹ：ＹＹ：００：００：００》《玄関》
《２》《ＸＸ：ＹＹ：ＹＹ：００：００：１１》《車載》
【００６１】
ユーザは、“ＩＤ登録”及び“デバイスアドレス登録”の操作を終えた後に、携帯情報端末１０の操作メニューから、“管理システム（携行品確認システム）の動作開始”を指定するとともに、タグ３１〜３５，４１，４２，５１，５２を対象とする個々の携行品に挟んで（入れて）おく。
【００６２】
次に、図３のシステム構成３０及び図４のシステム構成４０での携行品確認処理を、図６乃至図８を参照して説明する。ここでは、タグリーダ部１９で読み取る必要があるＵＩＤの含有条件として、ＵＩＤ、或いはＵＩＤ及び識別子番号及びグループ番号を含有条件として指定し、この条件を満たさない限り条件指定部を機能させないようにする。このＵＩＤ含有条件として、（I）グループ番号０の玄関ドアの鍵用のタグ５１を含むこと並びに車の鍵用のタグ５２を含まないこと、（II）グループ番号０の玄関ドアの鍵用のタグ５１及び車の鍵用のタグ５２を含むこと、を記憶メモリ１２に記憶しておくものとする。さらに、車以外での外出用／車での外出用の通信ユニット２０のデバイスアドレスをグループ番号１／２にそれぞれ関連付けて記憶メモリ１２に記憶しておくものとする。そして、通信を行ってきた通信ユニット２０のデバイスアドレスに基づき、車以外の外出時には（I）を選択し、車での外出時には（II）を選択する。
【００６３】
また、条件指定部で指定可能な含有条件として、（I-i）グループ番号１の識別子番号１内のＵＩＤを含まないこと、（I-ii）グループ番号１の識別子番号２内のＵＩＤのいずれかを含むこと、（I-iii）グループ番号１の識別子番号３内のＵＩＤを全て含むこと、（II-i）グループ番号２の識別子番号１内のＵＩＤを含まないこと、（II-ii）グループ番号２の識別子番号２内のＵＩＤを全て含むこと、（II-iii）グループ番号２の識別子番号３内のＵＩＤのいずれかを含むこと、を記憶メモリ１２に記憶させておくものとする。そして、通信を行ってきた通信ユニット２０のデバイスアドレスに基づき、車以外の外出時にはグループ番号１に対する含有条件（I-i）〜（I-iii）を選択し、車での外出時にはグループ番号２に対する含有条件（II-i）〜（II-iii）を選択する。
【００６４】
まず、図３のシステム構成３０での携行品確認処理を、図６及び図７を参照して説明する。玄関ドアの開閉や通り抜け／鍵の施錠操作をセンサが感知する（ステップＳ２１でＹＥＳ）と、制御部２１はマスタ通信機器となるＢｌｕｅｔｏｏｔｈ（登録商標）通信部２７を制御して、接続相手（スレーブ通信機器）の“呼び出し”を実行させる（ステップＳ２２）。ここで、接続相手のデバイスアドレスがわからない場合は“問い合わせ”を行うとよい。スレーブ通信機器である携帯情報端末１０からの応答によってＢｌｕｅｔｏｏｔｈ（登録商標）間の接続が確立される（ステップＳ２３でＹＥＳ）と、互いのパケットが交換され、通信ユニット２０のデバイスアドレスを携帯情報端末１０が取得する（ステップＳ２４）。なお、ステップＳ２３でＮＯの場合には接続が確立しないためエラー表示などした後に、ステップＳ２１へ戻ってセンサ入力を待つ。
【００６５】
制御部１１は、ステップＳ２４で取得したデバイスアドレスから、記憶メモリ１２に登録された玄関出入り口のマスタ通信機器からの要求であり、且つそのデバイスアドレスに対応した携行品グループがグループ番号１であることを検出する（ステップＳ２５）。続いて制御部１１は、グループ番号１に関連付けられたＵＩＤの含有条件（I）及び識別情報の含有条件（I-i）〜（I-iii）を、記憶メモリ１２から読み出して、含有条件の対象となるＵＩＤと識別子番号とを選択する（ステップＳ２６）。それとともに、制御部１１は、タグリーダ部１９を起動し（ステップＳ２７）、タグリーダ部１９は、ＲＦＩＤ用アンテナ１８から電波を送信して（ステップＳ２８）、概ね数十センチメートルの範囲にある複数タグのＵＩＤを受信して読み取る（ステップＳ２９）。
【００６６】
次に、制御部１１は、図７で例示する報知処理を遂行し、ステップＳ２１に戻って次回の外出時に備える。この報知処理では、まず含有条件（I）を検証する。ステップＳ２９で受信したＵＩＤの中に外出判断基準となるＵＩＤ、すなわち玄関のドアの鍵用のタグ５１及び車の鍵用のタグ５２のＵＩＤが存在するか否かを判定し（ステップＳ３１）、さらにその判定結果が車での外出を示していない場合（ステップＳ３２でＮＯ）、以降のステップＳ３３〜Ｓ３７の処理を実行する。ステップＳ３１でＮＯ及びステップＳ３２でＹＥＳの場合には、この報知処理を終了する。
【００６７】
すなわち、ステップＳ３１，Ｓ３２により、読み取った複数タグの一部がグループ番号０の識別子番号１に登録されたＵＩＤ、玄関ドアの鍵用のタグ５１に該当し、さらに車の鍵用のタグ５２に該当しない場合、出勤を目的とした外出と判断し、以降のステップＳ３３〜Ｓ３７の処理を実行する。一方、識別子番号１に登録されたＵＩＤ、玄関ドアの鍵用のタグ５１に該当しない場合は、外出ではない玄関ドアの開閉であり、また車の鍵用のタグ５２に該当する場合は、運転を目的とした外出であるので以降の処理は行わない。
【００６８】
このように、携帯情報端末１０では、通信ユニット２０からのデバイスアドレスの取得をトリガとして携行品確認処理を開始するが、取得した全ての場面で警告又は確認通知を行うことに煩わしさを感じるユーザもいるため、必要な場面（ここでは出勤を目的とした外出である場合）のみ警告又は確認通知を行うようにする。
【００６９】
次に、制御部１１は含有条件（I-i）を検証する。制御部１１が、読み取った複数タグの中に携帯情報端末１０の未所持を示すＵＩＤが存在するか否かを判定する（ステップＳ３３）。読み取った複数タグの一部がグループ番号１の識別子番号１に登録されたＵＩＤに該当した場合、識別子番号１は携帯情報端末１０を充電する充電器の場所を示すタグ３１に付する識別子であり、携帯情報端末１０がこの識別子に対応付けられたタグ３１を検出することは、ユーザが携帯情報端末１０を所持せずに玄関出入り口に来ていると解釈できる。従って、ステップＳ３３で携帯情報端末１０の未所持確認用ＵＩＤが存在した場合には、ただちに携帯情報端末１０の持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ３６）、処理を終了する。
【００７０】
ステップＳ３３で存在しないと判定された場合、すなわち識別子番号１に登録されたＵＩＤに該当しなかった場合、制御部１１が、含有条件（I-ii）を検証、すなわち携帯情報端末１０の所持を示すＵＩＤが１つも存在しないか否かを判定する（ステップＳ３４）。読み取った複数タグの一部がグループ番号１の識別子番号２に登録されたＵＩＤのいずれにも該当しない場合、識別子番号２は出勤時における携帯情報端末１０を持ち出すカバンの場所を示すタグ３２や背広のポケットの場所を示すタグ３３に付する識別子であり、携帯情報端末１０がこの識別子に対応付けられたいずれのタグ３２，３３も検出しないことは、ユーザが携帯情報端末１０を所持せずに玄関出入り口に来ていると解釈できる。
【００７１】
従って、ステップＳ３４で携帯情報端末１０の所持確認用ＵＩＤが１つも存在しなかった場合には、ただちに持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ３６）、処理を終了する。
【００７２】
ステップＳ３４で携帯情報端末１０の所持確認用ＵＩＤが１つでも存在すると判定された場合、すなわち識別子番号２に登録されたＵＩＤのいずれかに該当した場合、制御部１１が、含有条件（I-iii）を検証、すなわち出勤目的の外出に必要な携行品のＵＩＤを全て含むか否かを判定する（ステップＳ３５）。読み取った複数タグの一部がグループ番号１の識別子番号３に登録されたＵＩＤの全てに該当しない場合、識別子番号３は出勤時における携帯情報端末１０の携行品である定期の場所を示すタグ３４や財布の場所を示すタグ３５に付する識別子であり、携帯情報端末１０がこの識別子に対応付けられた全てのタグ３４，３５を検出しないことは、ユーザがこれらの携行品を所持せずに玄関出入り口に来ていると解釈できる。
【００７３】
従って、ステップＳ３５で出勤目的の外出に必要な携行品のＵＩＤの少なくとも１つが存在しなかった場合には、ただちに携行品の持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ３６）、処理を終了する。なお、この場合、携帯情報端末１０自体は所持しているので、制御部１１が携帯情報端末１０の表示部１４に携行品の名称を表示させるなどの警告表示を併せて行うとよい。
【００７４】
ステップＳ３５で出勤目的の外出に必要な携行品のＵＩＤが全て存在すると判定された場合、すなわち識別子番号３に登録されたＵＩＤの全てに該当した場合、携帯情報端末１０と携行品の持ち忘れが起きていないと解釈できる。従って、制御部１１の制御により、Ｂｌｕｅｔｏｏｔｈ（登録商標）間の接続によって携帯情報端末１０のスピーカ１５により認証の通知音を発する（ステップＳ３７）。
【００７５】
これにより、例えば携帯情報端末１０と玄関ドアの鍵（タグ５１が付属）と定期（タグ３４）と財布（タグ３５）の全てを入れたカバンを持たずに、別のカバンを持って出かけようとしている場合や、携帯情報端末１０と玄関ドアの鍵（タグ５１）と定期（タグ３４）と財布（タグ３５）の全てを入れた背広を着ずに、別の背広を着て出かけようとしている場合でも、持ち出すカバンや背広のポケットから認証の通知音が聞こえないので、ユーザが携帯情報端末１０と携行品の持ち忘れを知ることができる。
【００７６】
以上のようにシステム構成３０は、出勤時の携帯情報端末と携行品の持ち忘れ防止を想定したものである。なお、識別子番号と要素の数はこれに限定するものではない。
【００７７】
次に、図４のシステム構成４０での携行品確認処理を図６及び図８を参照して説明する。車のドア開閉やイグニッション操作をセンサが感知する（ステップＳ２１でＹＥＳ）と、制御部２１はマスタ通信機器となるＢｌｕｅｔｏｏｔｈ（登録商標）通信部２７を制御して、接続相手（スレーブ通信機器）の“呼び出し”を実行させる（ステップＳ２２）。ここで、接続相手のデバイスアドレスがわからない場合は“問い合わせ”を行うとよい。スレーブ通信機器である携帯情報端末１０からの応答によってＢｌｕｅｔｏｏｔｈ（登録商標）間の接続が確立される（ステップＳ２３でＹＥＳ）と、互いのパケットが交換され、通信ユニット２０のデバイスアドレスを携帯情報端末１０が取得する（ステップＳ２４）。なお、ステップＳ２３でＮＯの場合には接続が確立しないためエラー表示などした後に、ステップＳ２１へ戻ってセンサ入力を待つ。
【００７８】
制御部１１は、ステップＳ２４で取得したデバイスアドレスから、記憶メモリ１２に登録された車に搭載したマスタ通信機器からの要求であり、且つそのデバイスアドレスに対応した携行品グループがグループ番号２であることを検出する（ステップＳ２５）。続いて制御部１１は、グループ番号２に関連付けられたＵＩＤの含有条件（II）及び識別情報の含有条件（II-i）〜（II-iii）を、記憶メモリ１２から読み出して、含有条件の対象となるＵＩＤと識別子番号とを選択する（ステップＳ２６）。それとともに、制御部１１は、タグリーダ部１９を起動し（ステップＳ２７）、タグリーダ部１９は、ＲＦＩＤ用アンテナ１８から電波を送信して（ステップＳ２８）、概ね数十センチメートルの範囲にある複数タグのＵＩＤを受信して読み取る（ステップＳ２９）。
【００７９】
次に、制御部１１は、図８で例示する報知処理を遂行し、ステップＳ２１に戻って次回の外出時に備える。この報知処理では、まず含有条件（II）を検証する。ステップＳ２９で受信したＵＩＤの中に外出判断基準となるＵＩＤ、すなわち玄関のドアの鍵用のタグ５１及び車の鍵用のタグ５２のＵＩＤが存在するか否かを判定し（ステップＳ４１）、さらにその判定結果が車での外出を示している場合（ステップＳ４２でＹＥＳ）、以降のステップＳ４３〜Ｓ４７の処理を実行する。ステップＳ４１でＮＯ及びステップＳ４２でＮＯの場合には、この報知処理を終了する。
【００８０】
すなわち、ステップＳ４１，Ｓ４２により、読み取った複数タグの一部がグループ番号０の識別子番号１に登録されたＵＩＤ、玄関ドアの鍵用のタグ５１に該当し、さらに車の鍵用のタグ５２に該当する場合、運転を目的とした外出と判断し、以降のステップＳ４３〜Ｓ４７の処理を実行する。一方、識別子番号１に登録されたＵＩＤ、玄関ドアの鍵用のタグ５１に該当しない場合は、外出ではない車ドアの開閉であるので以降の処理は行わない。
【００８１】
このように、携帯情報端末１０では、通信ユニット２０からのデバイスアドレスの取得をトリガとして携行品確認処理を開始するが、取得した全ての場面で警告又は確認通知を行うことに煩わしさを感じるユーザもいるため、必要な場面（ここでは車での外出である場合）のみ警告又は確認通知を行うようにする。
【００８２】
次に、制御部１１は含有条件（II-i）を検証する。制御部１１が、読み取った複数タグの中に携帯情報端末１０の未所持を示すＵＩＤが存在するか否かを判定する（ステップＳ４３）。読み取った複数タグの一部がグループ番号２の識別子番号１に登録されたＵＩＤに該当した場合、識別子番号１は携帯情報端末１０を充電する充電器の場所を示すタグ３１に付する識別子であり、携帯情報端末１０がこの識別子に対応付けられたタグ３１を検出することは、ユーザが携帯情報端末１０を所持せずに車の運転を開始すると解釈できる。従って、ステップＳ４３で携帯情報端末１０の未所持確認用ＵＩＤが存在した場合には、ただちに携帯情報端末１０の持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ４６）、処理を終了する。
【００８３】
ステップＳ４３で存在しないと判定された場合、すなわち識別子番号１に登録されたＵＩＤに該当しなかった場合、制御部１１が、含有条件（II-ii）を検証、すなわち運転時に必須の携行品を示すＵＩＤが存在するか否かを判定する（ステップＳ４４）。読み取った複数タグの一部がグループ番号２の識別子番号２に登録されたＵＩＤに該当しない場合、識別子番号２は運転時における携帯情報端末１０の携行品である免許証の場所を示すタグ４１に付する識別子であり、携帯情報端末１０がこの識別子に対応付けられたタグ４１を検出しないことは、ユーザがこの携行品（免許証）を所持せずに車の運転を開始すると解釈できる。
【００８４】
従って、ステップＳ４４で運転時に必須の携行品を示すＵＩＤが存在しなかった場合には、ただちにその携行品の持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ４６）、処理を終了する。なお、この場合、携帯情報端末１０自体は所持しているので、制御部１１が携帯情報端末１０の表示部１４に携行品の名称（ここでは免許証）を表示させるなどの警告表示を併せて行うとよい。
【００８５】
ステップＳ４４で運転時に必須の携行品を示すＵＩＤが存在すると判定された場合、すなわち識別子番号２に登録されたＵＩＤに該当した場合、制御部１１が、含有条件（II-iii）を検証、すなわち有料道路利用に必要な携行品のＵＩＤを１つでも含むか否かを判定する（ステップＳ４５）。読み取った複数タグの一部がグループ番号２の識別子番号３に登録されたＵＩＤのいずれにも該当しない場合、識別子番号３は車での外出時の有料道路運転時における携帯情報端末１０の携行品である財布の場所を示すタグ３５やＥＴＣカードの場所を示すタグ４２に付する識別子であり、携帯情報端末１０がこの識別子に対応付けられたいずれのタグ３５，４２も検出しないことは、ユーザがこれらの携行品を所持せずに車の運転を開始すると解釈できる。
【００８６】
従って、ステップＳ４５で有料道路利用に必要な携行品のＵＩＤのいずれも存在しなかった場合には、ただちに携行品の持ち忘れが起きていると判定し、Ｂｌｕｅｔｏｏｔｈ（登録商標）間の接続によって携帯情報端末１０のスピーカ１５と通信ユニット２０のスピーカ２５により持ち忘れの警告音を発し（ステップＳ４６）、処理を終了する。なお、この場合、携帯情報端末１０自体は所持しているので、制御部１１が携帯情報端末１０の表示部１４に携行品の名称を表示させるなどの警告表示を併せて行うとよい。
【００８７】
ステップＳ４５で有料道路利用に必要な携行品のＵＩＤのいずれかが存在すると判定された場合、すなわち識別子番号３に登録されたＵＩＤのいずれかに該当した場合、携帯情報端末１０と携行品の持ち忘れが起きていないと解釈できる。従って、制御部１１の制御により、Ｂｌｕｅｔｏｏｔｈ（登録商標）間の接続によって携帯情報端末１０のスピーカ１５により認証の通知音を発する（ステップＳ４７）。
【００８８】
これにより、例えば携帯情報端末１０と玄関ドアの鍵（タグ５１が付属）と車の鍵（タグ５２）と免許証（タグ４１）と財布（タグ３５）又はＥＴＣカード（タグ４２）を同一場所に置き忘れた場合は、認証の通知音が聞こえないので、ユーザが携帯情報端末１０と携行品の持ち忘れを知ることができる。なお、運転に必須の携行品と有料道路利用に必要な携行品とは同時に「運転時に必要な携行品」として判定して処理してもよいが、ステップＳ４４，Ｓ４５では優先度をもたせた処理を実行している。
【００８９】
以上のように、システム構成４０は、運転時の携帯情報端末と携行品の持ち忘れ防止を想定したものである。なお、識別子番号と要素の数はこれに限定するものではない。
【００９０】
また、本発明に係る携行品確認システムは、図３及び図４で例示したシステム構成のユニット数やグループ番号に限定されるものではない。さらに、図３及び図４の例についてそれぞれ別個に説明したが、車での外出時と車以外での外出時の双方に対応可能なシステムとなることは十分理解できる。
【００９１】
また、本発明に係る携行品確認システムでは、Ｂｌｕｅｔｏｏｔｈ（登録商標）通信機能以外の無線通信機能として、無線ＬＡＮ（無線ＬＡＮのＭＡＣアドレスをＢｌｕｅｔｏｏｔｈ（登録商標）のデバイスアドレスとして使用する）などによって実現してもよい。但し、現時点において、無線ＬＡＮはＢｌｕｅｔｏｏｔｈ（登録商標）と比較すると高い伝送速度を要求するアプリケーションに用いられ、消費電力が大きいため、Ｂｌｕｅｔｏｏｔｈ（登録商標）通信機能を採用することが好ましい。
【００９２】
以上、本発明に係る携行品確認システムでは、携行品に取り付けたタグのＵＩＤから、外出の種別に応じて携帯情報端末及び必要な他の携行品の持ち忘れを防止することが可能となる。
【００９３】
また、本発明に係る携行品確認システムとしては、上述のごとき通信ユニット２０を用いない場合であっても、通信ユニット２０との通信を行うための無線通信部を備えない携帯情報端末１０及び携行品に取り付けたタグだけによっても適用できる。
【００９４】
例えば、ユーザが携帯情報端末１０の所定キー（例えば携帯電話機でのドライブモードキーや別途設けた外出モードキー）を押下することで、車での外出であることや車以外での外出であることが判定できる。指定可能な含有条件として、ドライブモードキーと図３のグループ番号１とを関連付け、また外出モードキーと図４のグループ２とを関連付けして記憶させておき、ユーザが現在の状況（車での外出／車以外での外出）に応じて所定キーの押下し、その押下に応じてその所定キーに合う含有条件を指定することで、携帯情報端末１０自身の持ち忘れを警告することはできないものの、携行品に対する持ち忘れを警告することや全て所持していることの認証通知を行うことができる。なお、現在の携帯電話機にはユーザによってオリジナルマナーモードが設定可能となっている機種もあり、このオリジナルマナーモードへの移行キーを上述した外出モードキーとして取り扱ってもよい。
【図面の簡単な説明】
【００９５】
【図１】本発明の一実施形態に係る携帯情報端末の構成例を示すブロック図である。
【図２】本発明に係る携行品確認システムに図１の携帯情報端末とともに具備される通信ユニットの構成例を示すブロック図である。
【図３】図１の携帯情報端末、図２の通信ユニット、及び確認対象となる携行品に取り付けられたタグでなる携行品確認システムの一例を示す図である。
【図４】図１の携帯情報端末、図２の通信ユニット、及び確認対象となる携行品に取り付けられたタグでなる携行品確認システムの他の例を示す図である。
【図５】図３及び図４のシステム構成を採用して携行品確認処理を実行するために事前に行う登録処理の一例を説明するためのフロー図である。
【図６】図３及び図４のシステム構成における携行品確認処理の一例を説明するためのフロー図である。
【図７】図３のシステム構成における図６の携行品確認処理の一部の報知処理を説明するためのフロー図である。
【図８】図４のシステム構成における図６の携行品確認処理の一部の報知処理を説明するためのフロー図である。
【符号の説明】
【００９６】
１０…携帯情報端末、１１，２１…制御部、１２，２２…記憶メモリ、１３…キー入力部、１４，２４…表示部、１５，２５…スピーカ、１６，２６…Ｂｌｕｅｔｏｏｔｈ（登録商標）用アンテナ、１７，２７…Ｂｌｕｅｔｏｏｔｈ（登録商標）通信部、１８…ＲＦＩＤ用アンテナ、１９…ＲＦＩＤタグリーダ部（タグリーダ部）、２０…通信ユニット、２３…入力部、２８…操作検出部、３０，４０…システム構成、３１…充電器用のタグ、３２…カバン用のタグ、３３…背広のポケット用のタグ、３４…定期用のタグ、３５…財布用のタグ、４１…免許証用のタグ、４２…ＥＴＣカード用のタグ、５１…玄関ドアの鍵用のタグ、５２…車の鍵用のタグ。
【図１】
2007316928.tif 000003
【図２】
2007316928.tif 000004
【図３】
2007316928.tif 000005
【図４】
2007316928.tif 000006
【図５】
2007316928.tif 000007
【図６】
2007316928.tif 000008
【図７】
2007316928.tif 000009
【図８】
2007316928.tif 000010